(57)【要約】【課題】簡単な構成で冷感の持続性を高めることの可能な冷感器具を提供する。【解決手段】冷却器具１００は、管状の内部に保冷剤１１２が収納され、環状に屈曲されるチューブ１１０と、環状に屈曲されるチューブ１１０の両端部を連結する２口継手１２０と、チューブ１１０の管状の内径よりも大きな径を有し、チューブ１１０の両端部に埋設されるガラス玉１３０を備えた特徴とする。冷感器具１００をチューブ１１０と連結部１２０とにより構成することで、簡単な構成とすることができる。そして、チューブ１１０に保冷剤１１２を収納することで、冷感の持続性を高めることができる。また、ガラス玉１３０により、簡易な構成で、保冷剤１１２の密閉度を高めることができる。このようにして、簡単な構成で冷感の持続性を高めることが可能である。【選択図】図１
0003194537.tif 000002
【実用新案登録請求の範囲】
【請求項１】
管状の内部に保冷剤が収納され、環状に屈曲される保冷剤収納部と、
前記環状に屈曲される保冷剤収納部の両端部を連結する連結部と、
を備えたことを特徴とする、冷却器具。
【請求項２】
さらに、前記保冷剤収納部の管状の内径よりも大きな径を有し、前記保冷剤収納部の両端部に埋設される玉状部材を備えた特徴とする、請求項１に記載の冷却器具。
【請求項３】
さらに、前記連結部を覆うカバー部材を備えたことを特徴とする、請求項１又は２に記載の冷却器具。
【考案の詳細な説明】
【技術分野】
【０００１】
本考案は、暑さ対策として用いられる冷感器具に関する。
【背景技術】
【０００２】
屋外などにおける暑さ対策として、様々な製品が製造・販売されている。従来の製品としては、例えば、身体（おでこなど）に貼る冷感シートや、濡らして使える冷感タオルや、身体や衣服に吹き付ける冷感スプレーや、持ち運びできる携帯用クーラー（例えば、特許文献１参照）などが知られている。
【先行技術文献】
【特許文献】
【０００３】
【特許文献１】特開平０９−０２１５４３号公報
【考案の概要】
【考案が解決しようとする課題】
【０００４】
しかし、上記従来の冷感シートや冷感タオルや冷感スプレーは、瞬間的あるいは短時間の冷却を目的としたものであり、冷感の持続性に欠けていた。また、特許文献１に開示されるような携帯用クーラーは、冷感の持続性はあるものの、取り扱いが不便で、対応できる場面が少ないだけでなく、装置のコストやメンテナンスのコストや手間が多大になるという問題があった。
【０００５】
そこで本考案は、このような問題に鑑みてなされたもので、その目的とするところは、簡単な構成で冷感の持続性を高めることの可能な、新規かつ改良された冷感器具を提供することにある。
【課題を解決するための手段】
【０００６】
上記課題を解決するために、本考案によれば、管状の内部に保冷剤が収納され、環状に屈曲される保冷剤収納部と、前記環状に屈曲される保冷剤収納部の両端部を連結する連結部と、を備えたことを特徴とする、冷感器具が提供される。
【０００７】
かかる構成によれば、冷感器具を保冷剤収納部と連結部とにより構成することで、簡単な構成とすることができる。そして、保冷剤収納部に保冷剤を収納することで、冷感の持続性を高めることができる。このようにして、簡単な構成で冷感の持続性を高めることが可能である。
【０００８】
本考案は様々な応用が可能である。例えば、さらに、前記保冷剤収納部の管状の内径よりも大きな径を有し、前記保冷剤収納部の両端部に埋設される玉状部材を備えるようにしてもよい。かかる玉状部材は、保冷剤収納部に収納する保冷剤の密閉部材としての機能を担う。簡易な構成で、保冷剤の密閉度を高めることができる。
【０００９】
さらに、前記連結部を覆うカバー部材を備えるようにしてもよい。カバー部材は、例えば、スポンジなどで構成することができる。かかるカバー部材を備えると、冷却器具を持つときに冷たくない、衛生的である、外観に優れるなどの効果がある。また、カバーの表面に文字や図柄を記載することもできるため、実用性に優れている。
【考案の効果】
【００１０】
本考案によれば、簡単な構成で冷感の持続性を高めることが可能である。なお、本考案のその他の効果や応用例については、さらに後述する。
【図面の簡単な説明】
【００１１】
【図１】第１の実施形態にかかる冷感器具を示す図である。
【図２】図１の冷感器具の各構成要素を示す図であり、（ａ）はチューブ１１０を示し、（ｂ）は２口継手１２０を示し、（ｃ）はガラス玉１３０を示す。
【図３】第２の実施形態にかかる冷感器具を示す図である。
【考案を実施するための形態】
【００１２】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１３】
（第１の実施形態）
本考案の第１の実施形態について説明する。図１は、本実施形態にかかる冷感器具１００を示す図である。本実施形態にかかる冷感器具１００は、図１に示したように、チューブ１１０と、２口継手１２０と、ガラス玉１３０と、を備えて構成される。図２は、冷感器具１００の各構成要素を示す図であり、図２（ａ）はチューブ１１０を示し、図２（ｂ）は２口継手１２０を示し、図２（ｃ）はガラス玉１３０を示す。なお、図２（ａ）〜（ｃ）は説明の便宜上の大きさで示しており、縮尺率は異なる。以下、冷感器具１００の各構成要素について順に説明する。
【００１４】
（チューブ１１０）
チューブ１１０は、本考案を構成する保冷剤収納部の一例であり、管状の内部に保冷剤１１２が収納されるものである。チューブ１１０は、図１、図２（ａ）に示したように、環状に屈曲される。ここで環状とは、円状（半円状、楕円状）や多角形形状などである。断面が丸いチューブ１１０を用い、このような環状とすることで、体積に対する表面積を小さくすることができ、内部に収納される保冷剤１１２を溶けにくくすることができる。
【００１５】
チューブ１１０の素材は、図１、図２（ａ）に示したような環状にすることができる任意の素材を採用することができる。例えば、耐寒、耐熱に優れ、衛生的な素材として、フッ素樹脂、ナイロン樹脂、ポリエチレン樹脂、シリコン樹脂などを採用することができる。
【００１６】
チューブ１１０の大きさは任意に設計できる。人間が最も体温を感じる場所の一つは首であり、その他、手首、足首、こめかみなどである。そこで、冷感器具１００を、適切な大きさとすることにより、首、手首、足首、こめかみなどに装着することが可能である。また、頭にワッカとして置くようにしてもよい。さらにまた、人間だけでなく、ペット用に使用することも可能である。具体的な長さとしては、例えば、人間の首に巻く用であれば、チューブ１１０の長さを６０ｃｍとすることができる。
【００１７】
チューブ１１０の太さや肉厚も任意に設計できる。チューブ１１０の太さや肉厚を変えることによって、保冷時間を何段階かに調整することができる。例えば、チューブ１１０の太さは、内径を１５ｍｍや、２２ｍｍとすることができる。また、チューブ１１０の肉厚は、屈曲させやすいものとすることができ、例えば１．２ｍｍ程度とすることができる。
【００１８】
チューブ１１０の色や模様は、機能性やファッション性の高い色とすることができる。例えば、チューブ１１０の色を青や緑とすることで、ファッション性に優れるだけでなく、見た目でも冷たさを感じさせることができる。
【００１９】
（保冷剤１１２）
チューブ１１０に収容される保冷剤１１２について説明する。本実施形態の保冷剤１１２は、ホームセンターなどで売られている一般的なものを採用することができる。安価な保冷剤（ジェル）は、単に水に高吸収ポリマーを混ぜただけのものであり、例えば１０００グラムの保冷剤に対し１０グラムのシリコンパウダーとシリカゲルを混ぜたものである。
【００２０】
保冷剤１１２としては、高吸収ポリマー成分を多く使用することで保冷時間を延ばすことができる。より具体的には、シリコンパウダーに添加物（例えば、シリカゲル）を加えることで時間を延ばすことができる。
【００２１】
冷感の持続時間に関して、以下の実験を行った。
【００２２】
＜実験１＞
チューブ１１０として、ナイロン素材で、厚さ１．２ｍｍ、内径１５ｍｍ、長さ６０ｃｍのものを使い、保冷剤を１００グラム注入して、時間測定した。このときの保冷剤としては、（１）保冷剤だけのもの、（２）シリコンパウダーとシリカゲルを混ぜたもの、（３）市販の−１５度程度（本明細書において、温度は摂氏で表す。）に保冷可能な保冷剤、（４）市販の２４時間持続可能な保冷剤（クーラーボックスに使用される)を用いて実験を行った。同じ条件で、３０度の室内で放置した場合、（１）、（３）、（４）は、固体の状態が溶け５度の温度まで上昇するまでの時間は、約７０分であり、（２）は、約８２分であった。
【００２３】
また、チューブ１１０として、ナイロン素材で、厚さ１．２ｍｍ、内径２２ｍｍ、長さ６０ｃｍのものを使い、保冷剤２００グラム注入量で、時間測定した。その結果、（２）は、固体の状態が溶け５度の温度まで上昇するまでの時間は、約１５５分であった。
【００２４】
＜実験２＞
実験１と同条件で、気温３０度の車内で前席左右の、窓を開けた状態で走りながら放置した場合、（１）〜（４）すべてで、実験１より１０分程度時間が短縮する結果となった。
【００２５】
＜実験３＞
実験２の状態でタオルまたはスカーフに絡ませた状態では、（１）〜（４）のすべてについて、実験２より約３５分程時間が延びる結果となった。
【００２６】
＜実験４＞
実験２の条件で、実際に人の首に掛け放置したところ（１）、（３）、（４）で、約１７分程度時間が短縮する結果となった。（２）については、約１２分程度時間が短縮する結果となった。
【００２７】
（２口継手１２０）
２口継手１２０は、本考案を構成する連結部材の一例であり、図１に示したように、環状に屈曲されるチューブ１１０の両端部を連結する。また、２口継手１２０によって、保冷剤１１２の漏れを防ぐことができる。
【００２８】
２口継手１２０は、連結部品や見た目に注意を払い、低コストで作れることが好ましい。図１、図２（ｂ）に示した２口継手１２０は、あくまで一例であり、チューブ１１０が外れないものであればよく、衛生的で見た目がよく、低コストで軽量なものを採用することができる。２口継手１２０の中は空洞である。チューブ１１０が外れにくく、低コストで軽量であり、使い勝手が非常によい。
【００２９】
２口継手１２０は、一般的にホース継手、ニップル、ジョイントと呼ばれるものを採用することができる。２口継手１２０の素材は、ＡＢＳ樹脂、ポリアセタール、ポリエチレンなど様々なものを採用することができる。チューブ１１０と同様の素材で作ることも可能である。
【００３０】
２口継手１２０は、逆止弁のような形状とすることで、外れにくくすることができる。なお、逆止弁とは、気体用や液体用の配管に取り付けておき、流体の背圧によって弁体が逆流を防止する形で作動する構造にした弁である。このような２口継手１２０は、通常の軽い運動程度では外れることはない。ただし、必要に応じて、２口継手１２０をチューブ１１０から外すことも可能である。
【００３１】
なお、チューブ１１０の両端部の連結については、任意の方法を採用することができる。例えば、図１、図２（ｂ）に示したような２口継手１２０ではなく、チューブ１１０の両端部にエンドキャップを設け、フックやネジ式で連結してもよい。また、チューブ１１０の両端部を内部に納めるタイプの連結部で連結してもよい。
【００３２】
（ガラス玉１３０）
ガラス玉１３０は、本考案を構成する玉状部材の一例であり、チューブ１１０の管状の内径よりも大きな径を有し、チューブ１１０の両端部に埋設されて、保冷剤１１２の漏れを防ぐためのものである。ガラス玉１３０は、球体であればよく、一般的なビー玉を採用することもできる。ガラス玉１３０をチューブ１１０に埋設することで、チューブ１１０と２口継手１２０のズレ防止にもなり、また、冷感器具１００のデザイン状のアクセントになるなどの効果がある。
【００３３】
ガラス玉１３０の大きさは、チューブ１１０の密閉性を高め、チューブ１１０の両端部から保冷剤１１２が漏れないように適切なサイズとすることができる。例えば、チューブ１１０の内径が１５ｍｍであれば、ガラス玉１３０の径を１７ｍｍ程度とすることができ、また、チューブ１１０の内径が２２ｍｍであれば、ガラス玉の径を２５ｍｍ程度とすることができる。なお、ガラス玉は、チューブ１１０の各端部に１個ずつ埋設してもよく、２個以上ずつ埋設してもよい。
【００３４】
以上、冷却器具１００の構成について説明した。冷却器具１００の製造方法は以下のとおりである。
（１）まず、用途に応じて適切な長さでチューブを切断し、チューブ１１０を製造する。
（２）チューブ１１０の一方の端部にガラス玉１３０を入れ、さらに、２口継手１２０の片方をチューブ１１０に差し込む。
（３）チューブ１１０の他方の端部から、保冷剤１１２を流し込む。
（４）空気を抜いた後、チューブ１１０の他方の端部にガラス玉１３０を入れ、さらに、２口継手１２０を差し込む。
【００３５】
以上のように製造される冷却器具１００の使用方法としては、まず、冷感器具１００を冷凍庫などに保管しておく。使うときには、身体の好きな所、例えば首に掛けるなどする。ファッション感覚で装着でき、使用中は両手を使うことなく便利である。なお、同じサイズの冷感器具１００や、サイズの異なる冷感器具１００を複数個重ねたり、連ねたりしてもよい。なお、チューブ１１０内部の保冷剤１１２は、一度収納したら半永久的に使用することができるが、必要に応じて、保冷剤を交換することもできる。
【００３６】
（第１の実施形態の効果）
以上説明したように、本実施形態によれば、冷感器具１００をチューブ１１０と２口継手１２０とにより構成することで、簡単な構成とすることができる。また、チューブ１１０に保冷剤１１２を収納することで、冷感の持続性を高めることができる。このようにして、簡単な構成で冷感の持続性を高めることが可能である。
【００３７】
また、チューブ１１０の管状の内径よりも大きな径を有し、チューブ１１０の両端部に埋設されるガラス玉１３０を備えたことで、簡易な構成で、保冷剤の密閉度を高めることができる。
【００３８】
（第２の実施形態）
本考案の第２の実施形態について説明する。図３は、本実施形態にかかる冷感器具２００を示す図である。なお、本実施形態では、上記第１の実施形態と異なる点を中心に説明することとし、上記第１の実施形態（図１、図２）と実質的に同一の機能構成を有する構成要素については、同一の符号を付することにより重複説明を省略する。
【００３９】
本実施形態にかかる冷感器具２００は、図３に示したように、チューブ１１０と、２口継手１２０と、ガラス玉１３０と、カバー２４０と、を備えて構成される。チューブ１１０と、２口継手１２０と、ガラス玉１３０は、上記第１の実施形態のものと実質的に同様のものとすることができる。
【００４０】
（カバー２４０）
カバー２４０は、本考案を構成するカバー部材の一例であり、２口継手１２０を覆うものである。カバー２４０の素材は任意であるが、例えば、スポンジなどで構成することができる。カバー２４０は、図３に示したように、中は空洞であり、２口継手１２０の外周に配置される。なお、図３では便宜上、カバー２４０の内部の２口継手１２０を図示しているが、例えばカバー２４０を黒いカバーとし、内部の２口継手１２０が見えないようにしてもよい。
【００４１】
（製造方法）
以上、冷却器具２００の構成について説明した。冷却器具１００の製造方法は以下のとおりである。
（１）まず、用途に応じて適切な長さでチューブを切断し、チューブ１１０を製造する。
（２）チューブ１１０の一方の端部にガラス玉１３０を入れ、さらに、２口継手１２０の片方をチューブ１１０に差し込む。
（３）チューブ１１０の他方の端部から、保冷剤１１２を流し込む。
（４）空気を抜いた後、チューブ１１０の他方の端部にガラス玉１３０を入れ、さらに、２口継手１２０を差し込む。そのときにカバー２４０もあわせて差し込む。
【００４２】
（第２の実施形態の効果）
以上説明したように、本実施形態によれば、上記第１の実施形態の効果に加え、カバー２４０をさらに備えたことで、冷却器具２００を持つときに冷たくない、衛生的である、外観に優れるなどの効果がある。また、カバー２４０の表面に文字や図柄を記載することもできるため、実用性に優れている。
【００４３】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【００４４】
例えば、上記実施形態では、保冷剤を密閉するための構成としてガラス玉１３０（玉状部材）を備える構成について説明したが、本考案はこれに限定されない。チューブ１１０の両端部を連結する連結部によって、保冷剤の密閉性が十分保たれるのであれば、ガラス玉１３０（玉状部材）は必ずしも備えなくてもよい。冷却器具の製造コストをより削減することができる。
【産業上の利用可能性】
【００４５】
本考案は、暑さ対策として用いられる冷感器具に利用可能である。
【符号の説明】
【００４６】
１００  冷感器具（第１の実施形態）
１１０  チューブ（保冷剤収納部）
１２０  ２口継手（連結部）
１３０  ガラス玉（玉状部材）
２００  冷感器具（第２の実施形態）
２４０  カバー（カバー部材）
【図１】
0003194537.tif 000003
【図２】
0003194537.tif 000004
【図３】
0003194537.tif 000005